(57)【要約】【課題】テレヴィジョンの信号が電力供給システムの電力ケーブルによって搬送され、コンセントを挿し込むことにより信号ケーブルを介することなくテレビの映像が受信できる映像伝送装置を提供する。【解決手段】第一チャンネルコントローラ１１，第一コントローラ１２，コンプレッサ（信号圧縮器）１３，第一シグナル受送信ユニット１４を含むコンバータ１によりテレビシグナルを取り込んで処理し、電源供給システム４の電力ケーブルに乗せて搬送して該シグナルを各室の映像設備にまで送信し、第二シグナル受送信ユニット２１，第二コントローラ２２，解凍ユニット２３とより構成されるアクセプタ２により、電力ケーブルで搬送されたこれらの信号を解凍することにより、一般のテレビ５などが該アクセプタ２を通して該電力供給システム４の任意のコンセント４１から電源と映像シグナルを同時に得られるようにする。【選択図】　　　　図３
0003097671.tif 000002
【実用新案登録請求の範囲】
【請求項１】
コンバータ及びアクセプタから映像伝送装置を構成し、
第一チャンネルコントローラ，第一コントローラ，コンプレッサ，第一シグナル受送信ユニットより構成される該コンバータに於いて、
主に選定されたチャンネル別信号をストアするべく複数のチャンネル別信号がストアされるチャンネルレジスタより構成され、一端には第一コントローラとコンプレッサとが連結されており、もう一端にはテレビシグナルケーブルが外より接続されるべく入力端が設けられている該第一チャンネルコントローラと、
該コンバータがチャンネルの選局，信号圧縮，シグナルの受送信，伝送を行うべく、該第一チャンネルコントローラとコンプレッサと第一シグナル受送信ユニットとが連結されている該第一コントローラと、
選定されたチャンネル別信号を圧縮するべく一端が該第一チャンネルコントローラと該第一コントローラに連結されており、もう一端が該第一シグナル受送信ユニットに連結されている該コンプレッサと、
一端が該第一コントローラとコンプレッサに連結され、もう一端には該コンバータで処理後のシグナルが家庭などの区域内の電力供給システムの電力ケーブルにアウトプットされるべく出力端が設けられている、該第一シグナル受送信ユニットとからなり、
また、第二シグナル受送信ユニットと第二コントローラと解凍ユニットとより構成される該アクセプタに於いて、
一端が該第二コントローラと該解凍ユニットとに連結され、もう一端には該区域内電力供給システムのコンセントを外から接続して電力ケーブルで伝送されるシグナルを受信するべく受送信端が設けられている該第二シグナル受送信ユニットと、
該アクセプタで解凍とシグナル受送信及び伝送のコントロールを行うべく、該第二シグナル受送信ユニットと解凍ユニットが連結されている該第二コントローラと、
一端が該第二コントローラと該第二シグナル受送信ユニットに連結され、もう一端には発信端が設けられており、受発信するシグナルに対して解凍を行い、テレビで受信できるシグナルに転換する該解凍ユニットと、
より構成され、該コンバータにより電力ケーブルにアウトプットされて搬送される信号を該アクセプタを通して一般のテレビが該区域内の電力供給システムの任意のコンセントより、電源と映像シグナルとを同時に得ることを特徴とする映像伝送装置。
【請求項２】
該区域内内の電力供給システムの電力ケーブル上には、該テレビシグナルケーブル上の一部のチャンネルのシグナルのみが搬送されると共に該アクセプタとコンバータ間は双方向のシグナル伝送が行われるようにして、チャンネルを選択する際は、該アクセプタからシグナルが伝送され、該コンバータによってチャンネルを切換えられるようにしたことを特徴とする請求項１記載の映像伝送装置。
【請求項３】
該複数のチャンネルレジスタは、それぞれ一つのチャンネルのシグナルをストアすることを特徴とする請求項１記載の映像伝送装置。
【請求項４】
該アクセプタには、選定されたチャンネル別信号をストアするべく、更に第二チャンネルコントローラが設けられており、一端には第二シグナル受送信ユニットが連結されており、もう一端には第二コントローラ及び解凍ユニットが設けられていることを特徴とする請求項１記載の映像伝送装置。
【請求項５】
該区域内の電力供給システムの電力ケーブル上には、該テレビシグナルケーブル上の全てのチャンネル別信号を搬送し、該アクセプタとコンバータ間は単一方向のシグナル伝送を行い、該アクセプタで自らチャンネルの選定と切換えを行うものであることを特徴とする請求項４記載の映像伝送装置。
【請求項６】
該アクセプタにはリモコンが含まれることを特徴とする請求項１或いは４記載の映像伝送装置。
【請求項７】
該アクセプタはテレビの内部に搭載されることを特徴とする請求項１或いは４記載の映像伝送装置。
【請求項８】
該アクセプタは規格化されたチップとすることを特徴とする請求項１或いは４記載の映像伝送装置。
【請求項９】
該コンプレッサの規格はＭＰＥＧ４とすることを特徴とする請求項１或いは４記載の映像伝送装置。
【考案の詳細な説明】
【０００１】
【考案の属する技術分野】
本考案は映像伝送装置に係り、特にコンバータとアクセプタの受送信を通して、テレビシグナルがその家庭内などの区域の電力供給システム内の電力ケーブルによって搬送されることにより、別のケーブルなどを敷かなくとも、接続するだけでテレビの映像が観られる映像伝送装置に関わる。
【０００２】
【従来の技術】
我々の生活水準がアップすると共に、一つの家庭に一台以上のテレビがあることは稀ではなくなっている。公知の技術として、テレビを見るには先ずアンテナを室外から室内にシグナルケーブルを引き、テレビの入力端に接続している。また、台数を増やしてその他の部屋にてテレビを見る場合、分配器を設けて室外からのケーブルに接続する。
【０００３】
【考案が解決しようとする課題】
上述のように、家庭内などでテレビの台数を増やす場合には、分配器を設けたり、ケーブルを室内に引いたりと、手間や時間や費用がかかる他、ケーブルが室内に引き回されることで外観を損ねる、といった欠点がある。
そこでケーブルを引かなくとも、シグナルが電力供給システムの電力ケーブルによって搬送され、ジャックを挿し込んで接続するだけでテレビの映像が見られるように、本考案の映像伝送装置を提供する。
【０００４】
【課題を解決するための手段】
第一チャンネルコントローラ，第一コントローラ，コンプレッサ（信号圧縮器），第一シグナル受送信ユニットを含むコンバータと、第二シグナル受送信ユニット，第二コントローラ，解凍ユニットを含むアクセプタとより構成し、テレビシグナルを戸外より取り込んだら該コンバータで処理後、電源供給システムのコンセント内の電力ケーブルで該アクセプタに搬送し、該アクセプタでシグナルを解凍したら、該シグナルを映像設備にまで送信し、一般のテレビなどが該アクセプタを通して該電力供給システムの任意のコンセントから電源と映像シグナルを得られるようにする。
【０００５】
【考案実施の形態】
図１から図３に示すように、本考案の実施例においては、コンバータ１とアクセプタ２とを含む。
該コンバータ１には第一チャンネルコントローラ１１と第一コントローラ１２、並びにコンプレッサ１３とシグナル受送信ユニット１４とが含まれる。
該第一チャンネルコントローラ１１においては複数のチャンネル別信号が保存されるチャンネルレジスタ１１１より構成され、選定されたチャンネル別信号をストアし、該第一チャンネルコントローラ１１の一端には第一コントローラ１２とコンプレッサ１３が連結されており、もう一端には入力端が設けられてテレビシグナルケーブル３が外から接続されるようになっている。
該第一コントローラ１２は、該コンバータ１がチャンネルの選択と圧縮、及びシグナルの通波と伝送を行うべく、該第一チャンネルコントローラ１１と該コンプレッサ１３と該第一シグナル受送信ユニット１４が連結されている。
該コンプレッサ１３は、選定されたチャンネル別信号を圧縮するべく、その一端に該第一チャンネルコントローラ１１と第一コントローラ１２とが連結され、もう一端は該第一シグナル受送信ユニット１４が連結されており、信号圧縮においては、規格が少なくともＭＰＥＧ４以上のフォーマットにて行われるものとする。該第一シグナル受送信ユニット１４の一端は、該第一コントローラ１２とコンプレッサ１３とに連結され、もう一端には出力端が設けられており、該コンバータ１を経て処理されたシグナルが区域内の電力供給システム４の電力ケーブル４１１上に出力される。
【０００６】
該アクセプタ２は、第二シグナル受送信ユニット２１と第二コントローラ２２及び解凍ユニット２３を含む。
該第二シグナル受送信ユニット２１の一端は、該第二コントローラ２２と解凍ユニット２３とに連結されており、もう一端には発信端が設けられており、電力ケーブル４１１で伝送されてくるシグナルを受信するべく、該区域内電力供給システム４のコンセント４１上に接続されている。
該第二コントローラ２２は、該アクセプタが解凍及びシグナルの通波と伝送をコントロールするべく、該第二シグナル受送信ユニット２１と解凍ユニット２３が連結されている。
該解凍ユニット２３は、一端に第二コントローラ２２と第二シグナル受送信ユニット２１とが連結され、もう一端には発信端が設けられており、受信したシグナルに対して解凍を行って、テレビで見られる映像シグナルに転換する。
また、該アクセプタ２は、単独のものとして設計した場合、回路は該テレビ２内に設置、或いは規格化されたチップとして、適応する各電気機器に取り付けられるものとする。
上述により、一般のテレビが、該アクセプタ２を通して該区域内電力供給システム４の任意のコンセント４１に直接接続できるようになり、同時に電源とテレビのチャンネル信号が得られるようになる。
【０００７】
実施時は、図１，３，４に示すように、電力ケーブル４１１上の伝送がスムーズに行われるよう、該電力ケーブル４１１は該アクセプタ２のみが選定した部分のチャンネルのみを搬送し、該アクセプタ２とコンバータ１間は双方向のシグナル伝送を行えるようになっており、チャンネルを選択する際、該アクセプタ２からシグナルが伝送されて該コンバータ１によって転換される。
家庭用を例とした場合、戸外から引いてきたテレビシグナルケーブルを、本考案のコンバータ１の入力端に接続する。該コンバータ１は例えば客間などに設置し、該コンバータ１の出力端は室内のコンセント４１上に接続し、テレビ５に対応するべくその他の部屋にもアクセプタ２を設置し、該アクセプタ２の通波端は、該部屋のコンセント４１に挿しこまれ、該アクセプタ２の発信端はテレビ４のシグナル通波端上に連結される。こうして客間のコンバータ１が受信したテレビのチャンネル別信号の、一部のチャンネルが該コンバータ１を経て圧縮処理された後、該圧縮されたシグナルをパケットにして電源コンセント４１内の電力ケーブル４１１上に搬送する。
その他の部屋のアクセプタ２においては、電力ケーブル４１１を通して圧縮されたシグナルを受信し、該アクセプタ２でシグナルを解凍し、該解凍されたシグナルが発信端を経て部屋のテレビ５に伝送され、該テレビ５が選択されたチャンネルの映像を放映する。
他のチャンネルの番組を見る際は、リモコンなどのチャンネルスイッチ２４によってチャンネルを選択するが、このとき該通波端は、該リモコン２４が選んだチャンネルを、電力ケーブル４１１を通じて客間の該コンバータ１にまで伝送し、該コンバータ１が選択したチャンネルのテレビシグナルを圧縮した後、該電力ケーブル４１１で部屋のアクセプタ２に伝送されてから解凍され、該テレビ５によって映像が放映されてみることができる。
【０００８】
図２に示すように、本考案の実施の際には、該電力ケーブル４１１でテレビのシグナルケーブル３上の全てのチャンネル別信号のストアを搬送させることができ、該アクセプタ２とコンバータ１との関係は単一方向のシグナル伝送を行う状態とするべく、該アクセプタ２には第二チャンネルコントローラ２５を増設し、その一端は第二シグナル受送信ユニット２１を連結させ、もう一端には第二コントローラ２２と解凍ユニット２３とを連結し、選定されたチャンネル別信号をストアし、使用者がチャンネルの切換えを行うとき、直接該アクセプタ２で選択と切換えを行い、こうすることでコンバータ１を通して行う必要がなくなる。
図４に示すように、室外から客間に引かれたテレビシグナルケーブル３は、一対二の分配器６を介すことで、シグナルがそれぞれ該コンバータ１と客間のテレビとに伝送される。該コンバータ１の出力端は、室内のコンセント４１に挿しこまれた後、該コンセント４１内の電力ケーブル４１１上に全てのチャンネルのシグナルを搬送させ、各部屋のテレビ５が該アクセプタ２を経て該室内の任意のコンセント４１に直接接続すると同時に、電源とチャンネルのシグナルとが得られ、自動で選択とスイッチが行われるようになる。
【０００９】
【考案の効果】
本考案によると、室内に既に提供されている電力ケーブルを利用して、電力と映像シグナルを取り入れることができるようになり、室内の外観の美しさを損なうことなく、容易に多数のテレビで映像が楽しめるようになった。
【図面の簡単な説明】
【図１】本考案のコンバータとアクセプタとを、単一方向のシグナル伝送状態とした際における説明図である。
【図２】本考案のコンバータとアクセプタとを、双方向のシグナル伝送状態とした際における説明図である。
【図３】本考案を多数のテレビに応用した際における使用状態説明図である。
【図４】本考案を家庭にて応用した際における使用状態説明図である。
【符号の説明】
１　コンバータ
１１　第一チャンネルコントローラ
１１１　チャンネルレジスタ
１２　第一コントローラ
１３　コンプレッサ
１４　第一シグナル受送信ユニット
２　アクセプタ
２１　第二シグナル受送信ユニット
２２　第二コントローラ
２３　解凍ユニット
２４　チャンネルスイッチ（リモコン）
２５　第二チャンネルコントローラ
３　テレビシグナルケーブル
４　区域電力供給システム
４１　コンセント
４１１　電力ケーブル
５　テレビ
６　分配器
【図１】
0003097671.tif 000003
【図２】
0003097671.tif 000004
【図３】
0003097671.tif 000005
【図４】
0003097671.tif 000006